(57)【要約】【課題】遊戯場に設置された遊技機の防犯性を向上させるため遊技機本体に取り付けられた施錠装置の他に本体の周囲の小さい隙間にも取り付けられ且つ剛性に優れた防犯装置を提供する事。【解決手段】遊技機本体の前面扉の開放を阻止するための押え爪を開放時には扉の正面から回転退避し、ロックする時はその押え爪は扉の正面に回転位置してそのまま前後に摺動し扉を押え込み停止できるように、手前に押え爪２を取り付けた心棒１と、同心棒にガイドピン３を取り付けて同心棒が前後摺動する際に手前端では押え爪２は退避位置に戻るようにした案内溝１４設けた摺動案内部４と、心棒１に直接停止作用の働くラチェット機構部とで構成し、且つそれらの構成要素が扁平になるよう配置して心棒１の軸心方向から見て狭い空間にも取り付けられるような防犯装置とした。【選択図】図１
0003164168.tif 000002
【実用新案登録請求の範囲】
【請求項１】
円柱状心棒の中間部分に手前方向に停止作用が働くラチェット歯型を複数列設け且つ手前側先端に押え爪を取り付け奥側端部付近に軸心と直角方向で片側に突出するガイドピンを取り付けた該心棒と、その心棒ががたつき少なく前後方向に円滑に摺動出来るような案内面を構成し且つ心棒が前後に移動する際の同心棒の回転方向を拘束する為同心棒に取り付けたガイドピンを摺動案内する案内溝を設けた摺動案内部と、該ラチェット歯型と係合して該心棒押し込み方向には抵抗少なく手前方向には停止作用の働くよう成型されたラチェット爪部とその爪部をラチェット歯型部に押し付けるように働くスプリングとその噛み合いを開放するように働くアクチュエーターとして電磁ソレノイドを備えたラチェット機構作動部とで構成される、
ことを特徴とする遊技機の防犯装置。
【考案の詳細な説明】
【技術分野】
【０００１】  本考案は遊戯場における遊技機の防犯装置に関する物である。
【背景技術】
【０００２】  パチンコ台及びスロットマシン等の遊技機等には各台毎点検用にて前面に必ず開き扉が使用されていてそれらにはそれぞれ前面から操作出来るシリンダー錠を使用した施錠装置が取り付けられているがそのシリンダー錠を操作してその前面扉を開放し遊技機に不正な操作をする犯罪が後を絶たない、そこで更に防犯性をよくする為限られた責任者の遠隔操作でしか開放できない前面扉の開放防止装置を取り付けて更に防犯性の向上を計ることが望まれている。
【先行技術文献】
【特許文献】
【０００３】    そこで特許文献１では前面扉と台枠との間に繰り出し停止機能と電気作動開放機能のついたワイヤー式ロック装置を各台ごとに取り付けて防犯性の向上を計る工夫がなされている。
また、特許文献２では各遊技機の前面扉上部の開放防止をはかるため回動する湾曲したレバーの先端で扉の開放を阻止しその開放には電磁作動式のアクチュエーターが使用された扉ロック装置が工夫されている。
【特許文献１】  特開２００６−１１０１７３号公報
【特許文献２】  特開２００８−９２９８７公報
【考案の概要】
【考案が解決しようとする課題】
【０００４】  ところで、特許文献１のワイヤー式ロック装置では前面扉の開放阻止と電磁作動部による遠隔開放操作が出来ることにおいて当初の目的は達成されているがその装置はそれを使用するには拘束する両端部を各遊技機に直接取り付ける必要があり、そのことは遊技機の交換を度々行う所有者にとっては面倒な事であり、又この種の遊技機については該遊技機本体には原則として変更を加えてはならないと云う規制がありその点に抵触しかねないと云う問題が存在する。【０００５】  又、特許文献２の扉ロック装置においては、遊技機の前面扉を押さえつける部分が回動する湾曲したレバーの先端であり同装置の拘束力が働く固定基部についてはテコ比の原理で先端での作用力の数倍の固定保持力を備えた構造体である事が要求されるがそれに耐え得る剛性を備えた装置にすると取り付け部が大きくなり又製作コストも上がる。  その問題に対し同発明はレバー部に脆弱な部分を設け大きな力が働いた場合はレバーがその部分で破損して固定基部まで大きな力が作用しないように同装置を構成して対処しているが、この方法はそのレバー部が破損した場合は何らかの不正力が働いたことの発見につながり防犯装置として役立つと云う考え方のものであるが本来防犯部は強度の高いものが望ましく接着復元技術が発達した現在その考え方は通用しないと思われる。また同装置固定基部の構造の複雑さからくる取り付け部の大きさでその取り付け位置は遊技機の上部位置に限られてしまうことになるがその遊技機の上部空間は多くは各遊技機のお客に対する様様なサービス情報表示部として装飾デザイン性も含めて貴重な空間であり同装置のために大きなスペースを占められる事には問題がある。【０００６】  本考案は上記背景技術の情況を考慮してなされたものであり，従来技術より簡素でなお強力でその取り付け部位についても制約の少ない遊技機の防犯装置を提供する。
【課題を解決する為の手段】
【０００７】  本考案の遊技機の防犯装置は、前面扉の開放を防止するための押え爪を回動可能な円柱状心棒の手前先端に取り付けその心棒の中間位置付近には手前方向に停止作用が働くラチェット歯型を複数列設け更に奥側端部付近には同心棒の回動角度を案内するためのガイドピンを設けた心棒と、同心棒ががたつき少なく前後方向に滑らかに摺動できるような案内面を構成し且つ同心棒が前後に移動する際同心棒の向きを拘束するため該ガイドピンを摺動案内するガイド溝を備えた摺動案内部と、該ラチェット歯型と係合して該心棒押し込み方向には抵抗少なく手前方向には停止作用の働くよう成型されたラチェット爪部とその爪部をラチェット歯型に押し付けるように働くスプリングとその噛み合いを開放するように働くアクチュエーターとして電磁ソレノイドを取り付けたラチェット機構作動部とで構成される、ことを特徴とするものであり。
【０００８】  以上のような構成部に加えて本考案品においては該心棒を手前方向に引き出す力を作用させるための引きバネが該ガイドピンとバネ固定部との間に取り付けてある、そして本考案品の摺動案内部に設けた該ガイドピンを摺動案内するガイド溝の形状はラチェット歯型列とラチェット爪部の噛み合関係が働く範囲内は前後方向に一定角度位置を保ちながら摺動案内しそして手前側の同噛み合い関係がなくなる位置から手前側の摺動案内端までの間で該心棒が滑らかに首振り摺動回転する形状になっている、尚その首振り角度は汎用性から９０度が最適であり本解決手段の説明では９０度としておくがそれ以下でも問題はない。
【０００９】  そして以上の構成要素からなる本考案品の固定取付け部の取り付け面は該心棒の軸芯に平行な面に配置し各構成要素を同取付け面に対し出来るだけ扁平になるよう構成配置しておき、そして手前先端に取り付けた該押え爪は使用情況にあわせ最適な方向に取り付ければよいが基本的には該心棒が手前先端に出た位置で押え爪の向きは同取付け面に対し平行角度になるように取り付けるのが使用空間上最適と考えるので本案の説明ではそのように取り付けたものについて説明する。
【００１０】  次に，以上のように構成した本考案品の作動について説明する。
本装置の該押え爪が手前端で該固定取付け面に対し平行状態にある位置から該心棒を押し込んでゆくと先記ガイド溝の案内によってまず押え爪が設定された角度即ち９０度回転し固定取付け面に対して直角方向に向きを変えその後該押え爪はその方向のまま押し込まれて最奥端に到る。  そして該押え爪が該固定取付け面に対して直角に向きを変え終わったところからガイドピンがガイド溝の最奥端に当たるまでラチェット爪部とラチェット歯型列とはその係合関係を保つ様になっているのでその範囲内においてはどの位置で該押え爪の押し込み動作を止めてもいわゆるラチェット動作により手前方向には停止力が働くことになる。  一方該心棒には引きバネによって手前方向の力が常時働いているのでラチェット爪部の噛み合関係を外すアクチュエーターである電磁ソレノイドを作動させその噛み合関係を開放すると該心棒は手前方向先端まで摺動移動する、したがってその手前先端についている押さえ爪も当初位置即ち本装置の該固定取付け面に対し平行向きに戻っていることになる。
【考案の効果】
【００１１】  以上のように構成された本考案品によれば、まず遊技機の前面扉開放時には本防犯装置も開放状態即ち扉押え爪は扉の開閉時に干渉しない角度位置に回転退避させることが出来、前面扉を閉じて開放防止を計る時には本装置の該押え爪を押し込んでゆくと先ず該押え爪は同前面扉の正面に回動位置しそのまま更に押し込んでゆくと該押え爪は同前面扉に突き当たってとまる、その状態で手を離せばその押さえ爪と一体になっている本装置の該心棒には手前方向にはラチェット停止機能が作用するので前面扉を開放することは出来ない。  そして開放時にはラチェット機構開放作動用の電磁ソレノイドを遠隔スイッチで作動させれば該ラチェット爪部の噛合いは外れ押え爪は当初の原位置に戻り前面扉は開放することができる。  以上のように本考案品によれば遊技機本体の施錠装置の他に特定の管理者にしか操作できない二重の防犯装置を提供する事ができる。
【００１２】  また、本考案品においてはその構造を該心棒の作動方向と平行面なるよう設けた本体固定部の取り付け面に対し扁平な形状になるように構成してあるので取り付けに要する空間の幅方向寸法が比較的小さくて現在一般に使用されている遊技機側面の余裕隙間に収容することが出来、且つ本装置の防犯機能は遊技機本体に直接手を加えて取り付けなくても本装置取り付け用の別部材を用いて遊技機固定用のいわゆる島枠に直接取り付けるようにすれば遊技機本体には手を加えることなく同本体を交換することが出来、従って遊技機本体には変更の手を加えてはならないと云う規制に抵触する問題もなくなる。
【００１３】  又、前面扉の開放を阻止する為の押え爪を支持し阻止力を発揮する為の主要部が奥行きの深い摺動案内部とそれに案内保持された円柱状心棒で構成されており、従って正面方向から見た所要空間が少ない割には前後方向の作用力に対し高い剛性を有する防犯装置を提供することができる。
【図面の簡単な説明】
【００１４】
【図１】本考案品の実施例の遊技機の防犯装置の構造を説明する図面であり、（ａ）はその装置の取り付け上方から見た平面図、（ｂ）は同装置の側面図、
【図２】図１の実施例の（ｂ）の側面図におけるＡ−Ａ矢視図と、Ｂ−Ｂ断面矢視図である。
【図３】本考案品の使用実施例の説明用見取り図である。
【考案を実施するための形態】
【００１５】  本考案を実施するための形態を、図１、図２を参考にしながら説明する。  図１、図２は本考案品の実施例の遊技機の防犯装置の構造と働きを示すものであり、その（ａ）、（ｂ）に示されているように遊技機の前面扉３１の開放を阻止する為の本装置の押え爪２は円柱状の心棒１の手前端部にネジ１１で取り付けられておりその心棒２の中間部には手前方向には停止作用が働くラチェット歯型５が複数列設けられてあり奥側端部付近にはその心棒１の軸心と直角方向に片側に突出するガイドピン３がとりつけてある。そして図２のＢ断面矢視図に示すように心棒１の摺動案内面を中間継ぎ板１２と組み合わさって構成する摺動案内部４にはガイドピン３が心棒１と共に前後に摺動移動する際にその方向位置を案内する案内溝１４が設けてあり、且つ同摺動案内部４はネジで固定取付け部１３にとりつけてある。
【００１６】  そしてガイドピン３には引きバネ９の一端が取り付けてありもう一方の端はバネ支持金具１７に取り付けられたローラ支持軸１６に支持されたローラ１５を迂回してバネ支持金具１７に設けられたバネ固定部１０に取り付けられている、バネ支持金具１７は固定取付け部１３にネジ止めされているので該心棒１には手前方向に引き出す力が働くことになる。
【００１７】  又、心棒１を挟んで引きバネ９が取り付けられている側と反対側には心棒１に設けたラチェット歯型５と噛み合うラチェット爪部６を備えたラチェット機構作動部が取り付けられている。そのラチェット作動部の構成を図１、（ｂ）によって説明すると、ラチェット爪部６をネジにて取り付けたラチェットレバー１８は固定取付け部１３にネジ止めされたピン固定金具２０によって固定された支持ピン１９によって回動可能に支持されていて、且つにそのラチェットレバー１８の一端と固定取付け部１３に設けられたバネ掛け部２２との間にスプリング７を取り付けてラチェット爪部６がラチェット歯形に押し付けられる方向に力が働くようになっている。更にらチェットレバー１８の一端はヒンジピン２１によって電磁ソレノイド８の軸心に接続されておりその電磁ソレノイド８は固定取付け部１３に固定されている。なお摺動案内部４のラチェット爪部６がラチェット歯形と噛み合う位置には開口部２３がもうけてある。
【００１８】  以上の他本考案実施例図では前面に装飾カバー２４を取り付けてあるがその部分は使用状況によって形状の変化するものであり機能的には関係ないものである尚仮想線で描かれた手前位置の押え爪２５は本考案作動時の位置関係を示しものであり、矢印２６，２７，２８、２９はその動きの様子を示すものである。
【００１９】  以上のような構成部分でなる本考案品を正面から見た図２のＡ矢視図，及びＢ断面矢視図に見られるように本考案品は固定取り付け面に対して扁平な構成になっている。
【実施例】
【００２０】  図４は本考案品使用実施例の見取り図であり同図に見られるように遊技機間のわずかな側面すきまを利用して取付枠体３２を使用して島枠３３に直接本考案による防犯装置を設置する事ができる。
【符号の説明】
【００２１】１：心棒                ２：押え爪            ３：ガイドピン
４：摺動案内部          ５：ラチェット歯型    ６：ラチェット爪部
７：スプリング          ８：電磁ソレノイド    ９：引きバネ
１０：バネ固定部        １１：ネジ            １２：中間継ぎ板
１３：固定取付け部      １４：案内溝          １５：ローラ
１６：ローラ支持軸      １７：バネ支持金具    １８：ラチェットレバー
１９：支持ピン          ２０：ピン固定金具    ２１：ヒンジピン
２２：バネ掛け部        ２３：開口部          ２４；装飾カバー
２５：仮想線で描かれた手前位置の押え爪
２６、２７、２８、２９：動きを示す矢印        ３０：遊技機本体
３１：前面扉                                  ３２：取付け枠体
３３：島枠
【図１】
0003164168.tif 000003
【図２】
0003164168.tif 000004
【図３】
0003164168.tif 000005